(57)【特許請求の範囲】
【請求項１】
収容された冊子の端面を受ける第一受け部と、前記第一受け部と交差すると共に冊子の端面を受ける第二受け部とを有する第一収容部材と、
収容された冊子の端面を受ける第三受け部と、前記第三受け部と交差すると共に冊子の端面を受ける第四受け部とを有し、前記第一受け部又は前記第二受け部と前記第三受け部とで冊子を受ける姿勢で収容可能な第一の冊子幅と、前記第一受け部又は前記第二受け部と前記第四受け部とで冊子を受ける姿勢で収容可能な前記第一の冊子幅とは異なる幅の第二の冊子幅とを構成する第二収容部材と、を有し、
前記第一収容部材は、
前記第一の冊子幅を前記第二収容部材とで構成する際に前記第一収容部材を被取付部材に取り付けるための複数の第一取付部と、
前記第二の冊子幅を前記第二収容部材とで構成する際に前記第一収容部材を前記被取付部材に取り付けるための複数の第二取付部と、を備え、
前記第二収容部材は、
前記第一の冊子幅を前記第一収容部材とで構成する際に前記第二収容部材を前記被取付部材に取り付けるための複数の第三取付部と、
前記第二の冊子幅を前記第一収容部材とで構成する際に前記第二収容部材を前記被取付部材に取り付けるための複数の第四取付部と、を備え、
前記第一の冊子幅を構成するように前記第一収容部材及び前記第二収容部材が配置された際の複数の前記第一取付部と複数の前記第三取付部との相対位置関係と、前記第二の冊子幅を構成するように前記第一収容部材及び前記第二収容部材が配置された際の複数の前記第二取付部と複数の前記第四取付部との相対位置関係とが同じくされる冊子収容体。
【請求項２】
請求項１に記載された冊子収容体と、
前記冊子収容体が取り付けられる被取付部が設けられた電子機器本体と、
を備える電子機器。
【請求項３】
前記電子機器本体には、前記電子機器本体の内部の空気と外部の空気との入れ替えを可能とする排吸気口が設けられ、
前記被取付部の位置は、第一の冊子幅を構成する前記冊子収容体及び第二の冊子幅を構成する前記冊子収容体の内少なくとも一方の冊子幅を構成する前記冊子収容体に冊子が収容された際に前記排吸気口を覆わないように決められる請求項２に記載の電子機器。
【請求項４】
請求項１に記載された冊子収容体と、
第一の冊子幅を構成するように第一収容部材及び第二収容部材が配置された際の複数の第一取付部と複数の第三取付部とに対応する被取付部と、第二の冊子幅を構成するように前記第一収容部材及び前記第二収容部材が配置された際の複数の第二取付部と複数の第四取付部とに対応する被取付部とが共通化されて設けられた電子機器本体と、
を備える電子機器。
【発明の詳細な説明】
【技術分野】
【０００１】
本発明は、冊子収容体、及び電子機器に関する。
【背景技術】
【０００２】
特許文献１に記載の収容容器は、対向する一対の広幅側板と別に対向する一対の小口幅側板とで箱形状とされ、使用説明書（冊子）やＣＤ−ＲＯＭなどの機器関連材を出し入れする出入口を備えている。
【先行技術文献】
【特許文献】
【０００３】
【特許文献１】特開２００７−１４７７０９
【発明の概要】
【発明が解決しようとする課題】
【０００４】
本発明の課題は、冊子を置く向きを選択可能とすることである。
【課題を解決するための手段】
【０００５】
本発明の請求項１に係る冊子収容体は、収容された冊子の端面を受ける第一受け部と、前記第一受け部と交差すると共に冊子の端面を受ける第二受け部とを有する第一収容部材と、
収容された冊子の端面を受ける第三受け部と、前記第三受け部と交差すると共に冊子の端面を受ける第四受け部とを有し、前記第一受け部又は前記第二受け部と前記第三受け部とで冊子を受ける姿勢で収容可能な第一の冊子幅と、前記第一受け部又は前記第二受け部と前記第四受け部とで冊子を受ける姿勢で収容可能な前記第一の冊子幅とは異なる幅の第二の冊子幅とを構成する第二収容部材と、を有し、前記第一収容部材は、前記第一の冊子幅を前記第二収容部材とで構成する際に前記第一収容部材を被取付部材に取り付けるための複数の第一取付部と、前記第二の冊子幅を前記第二収容部材とで構成する際に前記第一収容部材を前記被取付部材に取り付けるための複数の第二取付部と、を備え、前記第二収容部材は、前記第一の冊子幅を前記第一収容部材とで構成する際に前記第二収容部材を前記被取付部材に取り付けるための複数の第三取付部と、前記第二の冊子幅を前記第一収容部材とで構成する際に前記第二収容部材を前記被取付部材に取り付けるための複数の第四取付部と、を備え、前記第一の冊子幅を構成するように前記第一収容部材及び前記第二収容部材が配置された際の複数の前記第一取付部と複数の前記第三取付部との相対位置関係と、前記第二の冊子幅を構成するように前記第一収容部材及び前記第二収容部材が配置された際の複数の前記第二取付部と複数の前記第四取付部との相対位置関係とが同じくされることを特徴とする。
【００１０】
本発明の請求項２に係る電子機器は、請求項１に記載された冊子収容体と、前記冊子収容体が取り付けられる被取付部が設けられた電子機器本体と、を備えることを特徴とする。
【００１１】
本発明の請求項３に係る電子機器は、請求項２に記載において、前記電子機器本体には、前記電子機器本体の内部の空気と外部の空気との入れ替えを可能とする排吸気口が設けられ、前記被取付部の位置は、第一の冊子幅を構成する前記冊子収容体及び第二の冊子幅を構成する前記冊子収容体の内少なくとも一方の冊子幅を構成する前記冊子収容体に冊子が収容された際に前記排吸気口を覆わないように決められることを特徴とする。
【００１２】
本発明の請求項４に係る電子機器は、請求項１に記載された冊子収容体と、第一の冊子幅を構成するように第一収容部材及び第二収容部材が配置された際の複数の第一取付部と複数の第三取付部とに対応する被取付部と、第二の冊子幅を構成するように前記第一収容部材及び前記第二収容部材が配置された際の複数の第二取付部と複数の第四取付部とに対応する被取付部とが共通化されて設けられた電子機器本体と、を備えることを特徴とする。
【発明の効果】
【００１３】
本発明の請求項１の冊子収容体によれば、冊子収容体が分割されていない場合と比して、冊子を置く向きを選択することができる。
【００１７】
また、第一の冊子幅を構成する際の複数の第一取付部と複数の第三取付部との相対位置関係と、第二の冊子幅を構成する際の複数の第二取付部と複数の第四取付部との相対位置関係とが異なる場合と比して、第一の冊子幅を構成する場合と第二の冊子幅を構成する場合とで、被取付部材に設けられる被取付部を共通化することができる。
【００１８】
本発明の請求項２の電子機器によれば、請求項１に記載の冊子収容体が設けられていない場合と比して、冊子を置く向きを選択することができる。
【００１９】
本発明の請求項３の電子機器によれば、収容された冊子が電子機器本体に設けられた排吸気口を覆う場合と比して、電子機器本体内の温度が過度に上昇するのを抑制することができる。
【００２０】
本発明の請求項４の電子機器によれば、第一の冊子幅を構成する場合及び第二の冊子幅を構成する場合で、電子機器本体に設けられる被取付部が共通化されていない場合と比して、電子機器本体に設けられる被取付部を減らすことができる。
【図面の簡単な説明】
【００２１】
【図１】本発明の実施形態に係る冊子収容体において、冊子縦置き時の配置を示した拡大斜視図である。
【図２】本発明の実施形態に係る冊子収容体において、冊子横置き時の配置を示した拡大斜視図である。
【図３】本発明の実施形態に係る冊子縦置き時の冊子収容体及び画像形成装置を示した斜視図である。
【図４】本発明の実施形態に係る冊子横置き時の冊子収容体及び画像形成装置を示した斜視図である。
【図５】本発明の実施形態に係る冊子収容体において、搬送時の冊子収容体を示した拡大斜視図である。
【図６】本発明の実施形態に係る冊子収容体を用いて冊子幅を変えた場合を示した拡大斜視図である。
【図７】本発明の実施形態に係る冊子収容体を用いて冊子幅を変えた場合を示した拡大斜視図である。
【図８】本発明の実施形態に係る画像形成装置を示した構成図である。
【図９】本発明の実施形態に係る画像形成装置を示した概略構成図である。
【図１０】（Ａ）（Ｂ）本発明の実施形態に係る冊子収容体の一部材を用いて冊子を収容した場合を示した斜視図である。
【図１１】本発明の実施形態に係る冊子収容体において、部材の寸法を一例として示した斜視図である。
【発明を実施するための形態】
【００２２】
本発明の実施形態に係る冊子収容体及び電子機器の一例について図１〜図１１に従って説明する。なお、図中示す矢印ＵＰは、鉛直方向上方を示す。
【００２３】
（全体構成）
図９に示されるように、本実施形態に係る電子機器の一例としての画像形成装置１０の装置本体１０Ａの上部には、開閉可能な開閉部材１２と、一枚の読取原稿が載せられるプラテンガラス１６と、プラテンガラス１６に載せられた読取原稿Ｒを読み取る原稿読取装置１４とが設けられている。
【００２４】
＜原稿読取部＞
この原稿読取装置１４には、プラテンガラス１６に載せられた読取原稿Ｒに光を照射する光源１８が設けられている。さらに、光源１８によって照射されて読取原稿Ｒから反射された反射光をプラテンガラス１６と平行な方向に反射させるフルレートミラー２０と、フルレートミラー２０によって反射した反射光を下方へ反射させるハーフレートミラー２２と、ハーフレートミラー２２によって反射した反射光をプラテンガラス１６と平行な方向に反射させて折り返すハーフレートミラー２４と、ハーフレートミラー２４によって折り返された反射光が入射される結像レンズ２６とから構成される光学系が原稿読取装置１４に設けられている。
【００２５】
また、原稿読取装置１４には、結像レンズ２６によって結像された反射光を電気信号に変換する光電変換素子２８が設けられ、さらに、光電変換素子２８によって変換された電気信号を画像処理する画像処理装置２９が設けられている。そして、光源１８、フルレートミラー２０、ハーフレートミラー２２及びハーフレートミラー２４は、プラテンガラス１６に沿って移動可能となっている。
【００２６】
この構成により、プラテンガラス１６に載せられた読取原稿Ｒを読み取る場合には、光源１８、フルレートミラー２０、ハーフレートミラー２２及びハーフレートミラー２４を移動させながら、光源１８がプラテンガラス１６に載せられた読取原稿Ｒに光を照射し、読取原稿Ｒから反射された反射光が光電変換素子２８へ結像されるようになっている。
【００２７】
＜画像形成部＞
一方、装置本体１０Ａの上下方向中央側には、互いに異なった色のトナー画像を形成すると共に、水平方向に対して傾斜した状態に並んで配置された複数の画像形成ユニット３０が設けられている。さらに、画像形成ユニット３０の上側には、回転駆動する駆動ロール４８、張力を付与する張力付与ロール５４、従動回転する支持ロール５０、第１のアイドラーロール５６、及び第２のアイドラーロール５８に巻き掛けられた無端状の中間転写ベルト３２が設けられている。そして、中間転写ベルト３２が図中矢印Ａ方向に循環移動しながら各色の画像形成ユニット３０で形成されたトナー画像が中間転写ベルト３２に転写されるようになっている。
【００２８】
詳細には、図８に示されるように、イエロー（Ｙ）、マゼンタ（Ｍ）、シアン（Ｃ）、黒（Ｋ）の４つの画像形成ユニット３０Ｙ、３０Ｍ、３０Ｃ、３０Ｋがこの順で設けられている。最初に中間転写ベルト３２に転写されるイエロー（Ｙ）のトナー画像が形成される画像形成ユニット３０Ｙが最も高い位置に、最後に中間転写ベルト３２に転写される黒（Ｋ）のトナー画像が形成される画像形成ユニット３０Ｋが最も低い位置に設けられ、画像形成ユニット３０Ｙ、３０Ｍ、３０Ｃ、３０Ｋは水平方向に対して傾斜した状態で一定の間隔を隔てて並べられている。
【００２９】
これらの４つの画像形成ユニット３０Ｙ、３０Ｍ、３０Ｃ、３０Ｋは、基本的に、同様に構成されている。なお、以下の説明では、各色を区別する場合には符号に各色に対応する文字（Ｙ、Ｍ、Ｃ、Ｋ）を付加し、特に区別しない場合には各色に対応する文字を省略する。
【００３０】
各色の画像形成ユニット３０には、図示しない駆動手段によって矢印Ｄ方向に回転する像保持体３４が設けられ、さらに、この像保持体３４の表面を一様に帯電する帯電用の帯電部材３６が設けられている。
【００３１】
また、画像形成ユニット３０の下方には、帯電部材３６によって表面が一様に帯電した像保持体３４の表面に決められた色に対応したレーザ光を露光して静電潜像を形成させる光走査装置４０が複数の画像形成ユニット３０に沿うように傾斜して配置されている。さらに、帯電部材３６に対して像保持体３４の回転方向の下流側には、像保持体３４の表面に形成された静電潜像を決められた色のトナーで現像して可視化させる現像器４２が設けられている。また、光走査装置４０に対して水平方向に並んで、画像形成ユニット３０等に電力を供給する電源部４３が設けられている。さらに、電源部４３の側方には、装置本体１０Ａの側板１１の表裏を貫通する第一排吸気口１１２と、第二排吸気口１１４とが上下に並んで形成されている。
【００３２】
一方、中間転写ベルト３２を挟んで像保持体３４の反対側には、像保持体３４の表面に形成されたトナー画像を中間転写ベルト３２に転写するための一次転写部材４６が設けられている。さらに、像保持体３４から中間転写ベルト３２に転写されずに像保持体３４の表面に残留した残留トナー等を清掃するクリーニング装置４４が、像保持体３４の表面に接して、一次転写部材４６に対して像保持体３４の回転方向の下流側に設けられている。つまり、画像形成ユニット３０は、像保持体３４と、帯電部材３６と、現像器４２と、クリーニング装置４４とを含んで構成されている。
【００３３】
さらに、中間転写ベルト３２の上方には、イエロー（Ｙ）、マゼンタ（Ｍ）、シアン（Ｃ）、黒（Ｋ）の各色の現像器４２に、決められた色のトナーを供給するトナーカートリッジ３８Ｙ、３８Ｍ、３８Ｃ、３８Ｋが設けられている。黒（Ｋ）色のトナーを収容したトナーカートリッジ３８Ｋは、使用頻度が高いため、他のカラーのトナーカートリッジと比較して大きくされている。
【００３４】
この構成により、画像処理装置２９（図９参照）又は外部から、イエロー（Ｙ）、マゼンタ（Ｍ）、シアン（Ｃ）、黒（Ｋ）の各色の画像データが光走査装置４０に順次出力される。さらに、光走査装置４０から画像データに応じて出射したレーザ光は、対応する像保持体３４の表面を露光し、像保持体３４の表面には静電潜像が形成される。像保持体３４の表面に形成された静電潜像は、現像器４２Ｙ、４２Ｍ、４２Ｃ、４２Ｋによって、それぞれイエロー（Ｙ）、マゼンタ（Ｍ）、シアン（Ｃ）、黒（Ｋ）の各色のトナー画像として現像される。
【００３５】
像保持体３４の表面に、順次形成されたイエロー（Ｙ）、マゼンタ（Ｍ）、シアン（Ｃ）、黒（Ｋ）の各色のトナー画像は、各色の画像形成ユニット３０Ｙ、３０Ｍ、３０Ｃ、３０Ｋの上方に傾斜して配置される中間転写ベルト３２上に、一次転写部材４６によって多重に転写されるようになっている。
【００３６】
一方、中間転写ベルト３２の表面を清掃するクリーニング装置５２が、中間転写ベルト３２を挟んで駆動ロール４８の反対側に設けられており、このクリーニング装置５２は、装置本体１０Ａの前側（ユーザが立つ正面側）に設けられたフロントカバー（図示省略）を開放することで装置本体１０Ａに脱着自在とされている。
【００３７】
また、中間転写ベルト３２を挟んで支持ロール５０の反対側には、中間転写ベルト３２上に一次転写されたトナー画像を記録媒体としてのシート部材Ｐに二次転写するための二次転写部材６０が配置されている。つまり、二次転写部材６０と支持ロール５０との間がシート部材Ｐへトナー画像を転写する二次転写位置とされている。
【００３８】
さらに、二次転写部材６０の上方には、二次転写部材６０によってトナー画像が転写されて搬送経路６２に沿って搬送されるシート部材Ｐにトナー画像を定着させる定着装置６４が設けられている。
【００３９】
＜シート部材搬送部・シート部材収容部＞
図９に示されるように、定着装置６４に対してシート部材Ｐの搬送方向の下流側（以下単に「搬送方向下流側」という）には、トナー画像が定着されたシート部材Ｐを搬送する搬送ロール６６が設けられ、搬送ロール６６の搬送方向下流側には、シート部材Ｐの搬送方向を切り替える切替ゲート６８が設けられている。
【００４０】
また、切替ゲート６８の搬送方向下流側には、一の方向に切り替えられた切替ゲート６８によって案内されるシート部材Ｐを第一排出部６９に排出させる第一排出ロール７０が設けられている。
【００４１】
さらに、切替ゲート６８の搬送方向下流側には、他の方向に切り替えられた切替ゲート６８によって案内されて搬送ロール７３により搬送されるシート部材Ｐを第二排出部７６に排出させる第三排出ロール７８が設けられている。
【００４２】
一方、装置本体１０Ａの下部であって、二次転写部材６０に対してシート部材Ｐの搬送方向の上流側（以下単に「搬送方向上流側」という）には、シート部材Ｐが収容される給紙部８０、８２、８４、８６が設けられ、各給紙部８０、８２、８４、８６には、サイズの異なるシート部材Ｐが収容されている。
【００４３】
さらに、各給紙部８０、８２、８４、８６には、収容されたシート部材Ｐを各給紙部８０、８２、８４、８６から搬送経路６２に持ち出す給紙ロール８８が設けられ、給紙ロール８８の搬送方向の下流には、シート部材Ｐを一枚ずつ搬送する搬送ロール９０及び搬送ロール９２が設けられている。
【００４４】
また、搬送ロール９２に対して搬送方向下流側には、シート部材Ｐを一端停止させ、決められたタイミングでシート部材Ｐを二次転写位置へ送り出す位置合わせロール９４が設けられている。
【００４５】
一方、シート部材Ｐの両面に画像を形成させるために、シート部材Ｐを反転させて搬送する両面用搬送ユニット９８が二次転写位置の側方に設けられている。そして、両面用搬送ユニット９８には、搬送ロール７３を逆転させることで搬送されるシート部材Ｐが送り込まれる反転経路１００が設けられている。さらに、反転経路１００に沿って複数の搬送ロール１０２が設けられ、これらの搬送ロール１０２によって搬送されるシート部材Ｐは表裏が反転された状態で、位置合わせロール９４に再度搬送される構成となっている。
【００４６】
また、両面用搬送ユニット９８の隣りには、折り畳み式の手差給紙部１０６が設けられている。そして、開放された折り畳み式の手差給紙部１０６から給紙されるシート部材Ｐを搬送する給紙ロール１０８及び搬送ロール１１０、１１１が設けられており、搬送ロール１１０、１１１で搬送されたシート部材Ｐは、位置合わせロール９４に搬送されるようになっている。
（要部構成）
次に、第一排吸気口１１２及び第二排吸気口１１４が形成される側板１１の下方に設けられる被取付部材の一例としての側板１１６に取り付けられ、画像形成装置１０の操作手順等が記載された冊子Ｓが収容される冊子収容体１２０について説明する。
【００４７】
図１に示されるように、冊子収容体１２０は、対称形状とされる第一収容部材１２２と第二収容部材１２４とを備え、第一収容部材１２２と第二収容部材１２４とを水平方向に並んで配置させることで冊子Ｓが収容可能となる。
【００４８】
図１には、Ａ４サイズの冊子Ｓを縦置きする場合（以下「冊子縦置き時」と言う）の冊子収容体１２０について記載されており、図２には、Ａ４サイズの冊子Ｓを横置きする場合（以下「冊子横置き時」と言う）の冊子収容体１２０について記載されている。
【００４９】
具体的には、図１に示されるように、冊子縦置き時には、第一収容部材１２２は紙面左側に配置され、第二収容部材１２４は紙面右側に配置される。一方、図２に示されるように、冊子横置き時には、第一収容部材１２２は冊子縦置き時の姿勢に対して取り付け向きを反時計方向に９０度回転されて紙面右側に配置され、第二収容部材１２４は冊子縦置き時の姿勢に対して取り付け向きを時計方向に９０度回転されて紙面左側に配置されるようになっている。
【００５０】
＜各部材の形状＞
図１、図２に示されるように、第一収容部材１２２は、冊子縦置き時に冊子Ｓの端面を受ける矩形板状の第一受け部１２２Ａと（図１参照）、冊子横置き時に冊子Ｓの端面を受ける矩形板状の第二受け部１２２Ｂとを備えている（図２参照）。この第一受け部１２２Ａと第二受け部１２２Ｂとは互いに長手方向の端部で連結され、第一受け部１２２Ａと第二受け部１２２Ｂとで成す角は直角（９０度）とされている。
【００５１】
また、冊子縦置き時に冊子Ｓの端面を受ける第一受け部１２２Ａの冊子支持幅（図中に示す寸法Ｇ）は、冊子横置き時に冊子Ｓの端面を受ける第二受け部１２２Ｂの冊子支持幅（図中に示す寸法Ｈ）より短くされている。
【００５２】
さらに、第一収容部材１２２には、第一収容部材１２２に収容される冊子Ｓの表紙面（裏表紙面を含む）を支持すると共に、同一形状であり、互いに対向する一対の板状の壁部１２２Ｃ、１２２Ｄが、第一受け部１２２Ａ及び第二受け部１２２Ｂの幅方向の異なる縁部と連結するように設けられている。また、壁部１２２Ｃ及び壁部１２２Ｄには、冊子Ｓの収容深さを浅くするＬ字状の縁部から構成される切欠き１２８が形成されている。
【００５３】
同様に、第二収容部材１２４は、冊子縦置き時に冊子Ｓの端面を受ける矩形板状の第三受け部１２４Ａと（図１参照）、冊子横置き時に冊子Ｓの端面を受ける矩形板状の第四受け部１２４Ｂとを備えている（図２参照）。第三受け部１２４Ａは第一受け部１２２Ａと同一形状とされ、第四受け部１２４Ｂは第二受け部１２２Ｂと同一形状とされている。また、第一受け部１２２Ａ及び第二受け部１２２Ｂと同様に、第三受け部１２４Ａと第四受け部１２４Ｂとは互いに長手方向の端部で連結され、第三受け部１２４Ａと第四受け部１２４Ｂとで成す角は直角（９０度）とされている。
【００５４】
さらに、第二収容部材１２４には、第二収容部材１２４に収容される冊子Ｓの表紙面（裏表紙面を含む）を支持すと共に、同一形状であり、互いに対向する一対の板状の壁部１２４Ｃ、１２４Ｄが、第三受け部１２４Ａ及び第四受け部１２４Ｂの幅方向の異なる縁部と連結するように設けられている。壁部１２４Ｃ及び壁部１２４Ｄは、壁部１２２Ｃ及び壁部１２２Ｄと同一形状とされ、壁部１２４Ｃ及び壁部１２４Ｄには、前述した切欠き１２８と同一形状の切欠き１３０が形成されている。
【００５５】
具体的には、切欠き１２８及び切欠き１３０の形状は、冊子縦置き時及び冊子横置き時において、プリンタドライバ等のソフトがデータとして収容されたＣＤ（ｃｏｍｐａｃｔ  ｄｉｓｋ）が入ったＣＤケースＫが、冊子収容体１２０に収容されても、ユーザがこのＣＤケースＫを取り出せるように決められている。つまり、冊子収容体１２０に収容されたＣＤケースＫの少なくとも一部が、切欠き１２８又は切欠き１３０から外部に露出するようになっている（図３、図４参照）。
【００５６】
この構成により、図１に示されるように、冊子縦置き時には、第一受け部１２２Ａ及び第三受け部１２４Ａの板面が鉛直方向に向くように、第一受け部１２２Ａの開口縁１６４と第三受け部１２４Ａの開口縁１６６とを対向させることで第一収容部材１２２及び第二収容部材１２４の姿勢が決められる。これにより、Ａ４サイズの冊子Ｓを縦置きする場合に必要な第一の冊子幅（図１に示す寸法Ｊ）が得られる。そして、第一収容方向（図１に示す矢印Ｅ方向）から収容される冊子Ｓの端面を第一受け部１２２Ａ及び第三受け部１２４Ａで受けるようになっている。なお、この状態では、冊子Ｓを横置きすることができないようになっている。さらに、第一収容部材１２２の壁部１２２Ｃと第二収容部材１２４の壁部１２４Ｃとが、側板１１６と接するようになっている。
【００５７】
一方、図２に示されるように、冊子横置き時には、第二受け部１２２Ｂ及び第四受け部１２４Ｂの板面が鉛直方向に向くように、第二受け部１２２Ｂの開口縁１６８と第四受け部１２４Ｂの開口縁１７０とが突き合わされて第一収容部材１２２及び第二収容部材１２４の姿勢が決められる。これにより、Ａ４サイズの冊子Ｓを横置きする場合に必要であると共に第一の冊子幅とは異なる第二の冊子幅（図２に示す寸法Ｎ）が得られる。そして、第二収容方向（図２に示す矢印Ｆ方向）から収容される冊子Ｓの端面を第二受け部１２２Ｂ及び第四受け部１２４Ｂで受けるようになっている。なお、この状態では、冊子縦置き時と同様に、第一収容部材１２２の壁部１２２Ｃと第二収容部材１２４の壁部１２４Ｃとが、側板１１６と接するようになっている。
【００５８】
＜取付部＞
図１に示されるように、第一収容部材１２２において、装置本体１０Ａの側板１１６に取り付けられる壁部１２２Ｃには、冊子縦置き時に用いられる複数（本実施では２個）の第一取付部の一例としての第一取付孔１３４が形成されている。具体的には、２個の第一取付孔１３４は、冊子縦置き時の姿勢において、水平方向に並べられ、ピッチは、距離Ｌとされている。
【００５９】
同様に、図２に示されるように、第一収容部材１２２において、装置本体１０Ａの側板１１６に取り付けられる壁部１２２Ｃには、冊子横置き時に用いられる複数（本実施では２個）の第二取付部の一例としての第二取付孔１３６が形成されている。具体的には、２個の第二取付孔１３６は、冊子横置き時の姿勢において、水平方向に並べられ、ピッチは、第一取付孔１３４と同様に距離Ｌとされている。
【００６０】
また、冊子縦置き時における第一収容部材１２２側に配置された第一取付孔１３４（図１参照）と、冊子横置き時における第一収容部材１２２側に配置された第二取付孔１３６（図２参照）とは共通化されている（同一孔である）。これより、第一取付孔１３４と第二取付孔１３６とは、直角二等辺三角形の頂点に配置される。
【００６１】
一方、図１に示されるように、第二収容部材１２４において、装置本体１０Ａの側板１１６に取り付けられる壁部１２４Ｃには、冊子縦置き時に用いられる複数（本実施では２個）の第三取付部の一例としての第三取付孔１４０が形成されている。具体的には、２個の第三取付孔１４０は、冊子縦置き時の姿勢において、水平方向に並べられ、ピッチは、距離Ｌとされている。
【００６２】
同様に、図２に示されるように、第二収容部材１２４において、装置本体１０Ａの側板１１６に取り付けられる壁部１２４Ｃには、冊子横置き時に用いられる複数（本実施では２個）の第四取付部の一例としての第四取付孔１４２が形成されている。具体的には、２個の第四取付孔１４２は、冊子横置き時の姿勢において、水平方向に並べられ、ピッチは、第三取付孔１４０と同様に距離Ｌとされている。
【００６３】
つまり、第一取付孔１３４及び第二取付孔１３６と第三取付孔１４０及び第四取付孔１４２とは、第一収容部材１２２と第二収容部材１２４との間に設けられた鉛直方向に延びる仮想の中心線を境に線対称とされている。
【００６４】
また、冊子縦置き時における第二収容部材１２４側に配置された第三取付孔１４０（図１参照）と、冊子横置き時における第二収容部材１２４側に配置された第四取付孔１４２（図２参照）とは共通化されている（同一孔である）。これより、第三取付孔１４０と第二取付孔１４２とは、直角二等辺三角形の頂点に配置される。
【００６５】
さらに、冊子縦置き時の第一の冊子幅を構成するように第一収容部材１２２及び第二収容部材１２４が配置された際の複数の第一取付孔１３４と複数の第三取付孔１４０との相対位置関係と、冊子横置き時の第二の冊子幅を構成するように第一収容部材１２２及び第二収容部材１２４が配置された際の複数の第二取付孔１３６と複数の第四取付孔１４２との相対位置関係とが同じくされるように、夫々の取付孔の位置が決められている。
【００６６】
具体的には、同一部材に設けられた取付孔のピッチは、距離Ｌとされ、部材間の取付孔のピッチは、距離Ｌと異なる距離Ｔとされるように夫々の取付孔の位置が決められている。
【００６７】
また、第一収容部材１２２において壁部１２２Ｃと対向する壁部１２２Ｄには、壁部１２２Ｃに形成された取付孔１３４、１３６と同様の取付孔１５０が形成されている。同様に、第二収容部材１２４において壁部１２４Ｃと対向する壁部１２４Ｄには、壁部１２４Ｃに形成された取付孔１４０、１４２と同様の取付孔１５２が形成されている。これより、第一収容部材１２２と第二収容部材１２４とは同一形状とされる。図１１には、同一形状とされる第一収容部材１２２と第二収容部材１２４との寸法の一例が記載されている。
【００６８】
＜被取付部＞
次に、冊子収容体１２０を装置本体１０Ａに取り付けるために用いられる側板１１６に形成された取付孔について説明する。
【００６９】
図１、図３に示されるように、側板１１６には、冊子縦置き時の第一の冊子幅を構成するように第一収容部材１２２及び第二収容部材１２４が配置された際に、第一取付孔１３４及び第三取付孔１４０と対応する四個の被取付部の一例としての取付孔１６０が形成されている。
【００７０】
この構成により、第一取付孔１３４及び取付孔１６０に固定具の一例としてのファスナ１６２を挿通させて第一収容部材１２２を側板１１６に固定するようになっている。同様に、第三取付孔１４０及び取付孔１６０にファスナ１６２を挿通させて第二収容部材１２４を側板１１６に固定するようになっている。
【００７１】
また、前述したように、冊子縦置き時における複数の第一取付孔１３４と複数の第三取付孔１４０との相対位置関係と、冊子横置き時における複数の第二取付孔１３６と複数の第四取付孔１４２との相対位置関係とが同じくされている。
【００７２】
このため、図２に示されるように、冊子横置き時の第二の冊子幅を構成するように第一収容部材１２２及び第二収容部材１２４が配置された際に、この取付孔１６０と第二取付孔１３６及び第四取付孔１４２とが対応する。これにより、第二取付孔１３６及び取付孔１６０にファスナ１６２を挿通させて第一収容部材１２２を側板１１６に固定するようになっている。同様に、第四取付孔１４２及び取付孔１６０にファスナ１６２を挿通させて第二収容部材１２４を側板１１６に固定するようになっている。つまり、冊子縦置き時と冊子横置き時で、側板１１６側の取付孔１６０が共通化される構成となっている。
【００７３】
さらに、図３、図４に示されるように、冊子縦置き時に、冊子収容体１２０にＡ４サイズの冊子Ｓを縦置きに収容しても（図３参照）、冊子横置き時に、冊子収容体１２０にＡ４サイズの冊子Ｓを横置きに収容しても（図４参照）、冊子Ｓが第一排吸気口１１２及び第二排吸気口１１４の開口を覆わないように取付孔１６０（図１、図２参照）の位置が決められている。
【００７４】
＜出荷時＞  
また、図５に示されるように、画像形成装置１０（図９参照）の工場からの出荷時においては、第一収容部材１２２の開口と第二収容部材１２４の開口とを組み合わせるように、第一収容部材１２２と第二収容部材１２４とを抱き合わせる。この抱き合わされた状態で第一収容部材１２２及び第二収容部材１２４が出荷されて搬送されるようになっている。
【００７５】
（作用・効果）
図１、図３に示されるように、冊子縦置き時には、第一収容部材１２２を紙面左側に配置し、第二収容部材１２４を紙面右側に配置し、第一受け部１２２Ａの開口縁１６４と第三受け部１２４Ａの開口縁１６６とを対向させる。これにより、冊子縦置き時の第一の冊子幅を構成するように第一収容部材１２２と第二収容部材１２４とが配置される。
【００７６】
この状態で、第一取付孔１３４及び取付孔１６０にファスナ１６２を挿通させて第一収容部材１２２を側板１１６に固定する。同様に、第三取付孔１４０及び取付孔１６０にファスナ１６２を挿通させて第二収容部材１２４を側板１１６に固定する。そして、冊子収容体１２０にＡ４サイズの冊子Ｓを縦置きし、この状態で、冊子Ｓは、第一排吸気口１１２及び第二排吸気口１１４の開口を覆わない。
【００７７】
一方、冊子横置き時には、図２、図４に示されるように、第一収容部材１２２を紙面右側に配置し、第二収容部材１２４を紙面左側に配置する。さらに、冊子縦置き時に対して、第一収容部材１２２及び第二収容部材１２４の取り付け向きを変え、第二受け部１２２Ｂの開口縁１６８と第四受け部１２４Ｂの開口縁１７０とを突き合わせる。
【００７８】
この状態で、第二取付孔１３６及び取付孔１６０にファスナ１６２を挿通させて第一収容部材１２２を側板１１６に固定する。同様に、第四取付孔１４２及び取付孔１６０にファスナ１６２を挿通させて第二収容部材１２４を側板１１６に固定する。そして、冊子収容体１２０にＡ４サイズの冊子Ｓを横置きし、この状態で、冊子Ｓは、第一排吸気口１１２及び第二排吸気口１１４の開口を覆わない。
【００７９】
以上説明したように、冊子収容体１２０を第一収容部材１２２と第二収容部材１２４とに分割し、第一収容部材１２２及び第二収容部材１２４の取り付け向きを変えることで、第一の冊子幅と、第一の冊子幅と異なる第二の冊子幅とが構成される。このため、第一収容部材１２２及び第二収容部材１２４を用いて第一の冊子幅と第二の冊子幅とを使いわける使用をした場合に、冊子Ｓを置く向きが選択可能となる。
【００８０】
また、第一収容部材１２２において壁部１２２Ｃと対向する壁部１２２Ｄには、壁部１２２Ｃに形成された取付孔１３４、１３６と同様の取付孔１５０が設けられている。同様に、第二収容部材１２４において壁部１２４Ｃと対向する壁部１２４Ｄには、壁部１２４Ｃに形成された取付孔１４０、１４２と同様の取付孔１５２が設けられている。また第二収容部材１２４には、第一収容部材１２２に形成された切欠き１２８と同一形状の切欠き１３０が設けられている。これにより、第一収容部材１２２と第二収容部材１２４とは同一形状とされるさらに、第一収容部材１２２の側板１１６への取り付けを壁部１２２Ｃから壁部１２２Ｄとし、第二収容部材１２４の側板１１６への取り付けを壁部１２４Ｃから壁部１２４Ｄとすることが可能となる。すなわち、第一収容部材１２２と第二収容部材１２４との配置を入れ替えることなく第一収容部材１２２及び第二収容部材１２４により冊子縦置き時の第一の冊子幅及び冊子横置き時の第二の冊子幅が構成される。
【００８１】
また、第一収容部材１２２と第二収容部材１２４とを同一形状とすることで、部品点数及び成形に必要な金型が減らされる。
【００８２】
また、第一収容部材１２２に切欠き１２８を形成し、第二収容部材１２４に切欠き１３０を形成することで、冊子縦置き時及び冊子横置き時において、冊子収容体１２０に収容されたＣＤケースＫの少なくとも一部が、切欠き１２８又は切欠き１３０から外部に露出する。これにより、冊子収容体１２０に収容されたＣＤケースＫが、ユーザにより取り出される。
【００８３】
また、第一の冊子幅を構成する際の複数（本実施形態では２個）の第一取付孔１３４と複数（本実施形態では２個）の第三取付孔１４０との相対位置関係と、第二の冊子幅を構成する際の複数（本実施形態では２個）の第二取付孔１３６と複数（本実施形態では２個）の第四取付孔１４２との相対位置関係とが同じくされている。これにより、冊子縦置き時と冊子横置き時とで、側板１１６側に設けられる取付孔１６０が共通化される。
【００８４】
また、相対位置関係が同じくされた取付孔のピッチにおいて、同一部材に設けられた取付孔のピッチは距離Ｌとされ、部材間の取付孔のピッチは距離Ｌと異なる距離Ｔとされている。これにより、誤った位置に第一収容部材１２２及び第二収容部材１２４を取り付けるのが抑制される。
【００８５】
また、Ａ４サイズの冊子Ｓを縦置きした場合（図３参照）及びＡ４サイズの冊子Ｓを横置きした場合に、冊子Ｓが第一排吸気口１１２の開口及び第二排吸気口１１４の開口を覆わないように取付孔１６０の位置が決められている。このため、装置本体１０Ａ内の温度が過度に上昇するのが抑制される。
【００８６】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、冊子収容体１２０を画像形成装置１０と組み合わせて用いたが、特に画像形成装置１０に限定されず、ファクシミリ等の電子機器と組み合わせてもよい。
【００８７】
また、上記実施形態では、Ａ４サイズの冊子Ｓを例にとって、冊子縦置き時及び冊子横置き時の場合について説明したが、例えば、機種によって冊子Ｓのサイズが異なる場合（例えば、Ａ４サイズとＡ３サイズ）に、この冊子収容体１２０を用いて、異なる冊子幅（冊子サイズ）に対応させてもよい。
【００８８】
また、上記実施形態では、第一収容部材１２２と第二収容部材１２４とが同一形状の場合を例にとって説明したが、特に同一形状、対称形状に限定されず、異なる形状であってもよい。
【００８９】
また、上記実施形態では、第一受け部１２２Ａ（第三受け部１２４Ａ）と第二受け部１２２Ｂ（第四受け部１２４Ｂ）とが連結する構成を例にとって説明したが離間していてもよい。
【００９０】
また、図６、図７に示されるように、上記実施形態では、冊子収容体１２０が、第一収容部材１２２と第二収容部材１２４とに分割されている。このため、側板１１６に別途取付孔１７４を設け、第一収容部材１２２及び第二収容部材１２４の少なくとも一方を水平方向に移動させることで、さらに異なるサイズの冊子Ｓを収容可能としてもよい。
【００９１】
また、上記実施形態では、冊子収容体１２０が、第一収容部材１２２と第二収容部材１２４とに分割されている。このため、どちらか一方を使用して、冊子Ｓを収容可能としてもよい。例えば、図１０（Ａ）（Ｂ）に示されるように、装置本体１０Ａの側面にソーター等のオプション装置１８０が取り付けられる場合に、このオプション装置１８０と装置本体１０Ａとの間に段差１８２が形成される場合がある。第一収容部材１２２又は第二収容部材１２４とこの段差１８２とで、冊子Ｓの収容スペースを構成してもよい。
【００９２】
また、上記実施形態では、特に説明しなかったが、第一収容部材１２２又は第二収容部材１２４だけを用いてこの第一収容部材１２２又は第二収容部材を斜めに取り付け、これに冊子Ｓを収容してもよい。
【００９３】
また、上記実施形態では、第一取付孔１３４、第二取付孔１３６、第三取付孔１４０及び第四取付孔１４２については、夫々２個設けられたが、特に２個に限定されず、３個以上であってもよい。  
【００９４】
また、上記実施形態では、ＣＤケースＫを取り出すための切欠き１２８、１３０を第一収容部材１２２及び第二収容部材１２４に形成させたが、どちらか一方だけに形成してもよい。
【００９５】
また、上記実施形態では、冊子縦置き時には、第一受け部１２２Ａの開口縁１６４と第三受け部１２４Ａの開口縁１６６とを対向させることで第一収容部材１２２及び第二収容部材１２４の姿勢が決められたが、第一受け部１２２Ａの開口縁１６４と第三受け部１２４Ａの開口縁１６６とを付き合わせることで第一収容部材１２２及び第二収容部材１２４の姿勢が決められるように各部材の形状を決めてもよい。
【００９６】
また、上記実施形態では、冊子縦置き時と冊子横置き時とで、第一収容部材１２２の取り付け向きと第二収容部材１２４の取り付け向きとの両方を変えたが、どちらか一方の取り付け向きを変えることで冊子縦置き時と冊子横置き時とを使い分けるように各部材の形状を決めてもよい。
【００９７】
また、上記実施形態では、第一収容部材１２２及び第二収容部材１２４をファスナ１６２を用いて側板１１６に取り付けたが、両面テープ等を用いて第一収容部材１２２及び第二収容部材１２４を側板１１６に取り付けてもよい。この場合には、第二受け部１２２Ｂの開口縁１６８と第四受け部１２４Ｂの開口縁１７０とを突き合わせることで、第一収容部材１２２と第二収容部材１２４との相対位置関係が決まる。このため、突き合せではない場合と比して、第一収容部材１２２と第二収容部材１２４との相対位置関係が容易に保たれる。
【符号の説明】
【００９８】
１０              画像形成装置（電子機器の一例）
１０Ａ            装置本体（電子機器本体の一例）
１１２            第一排吸気口（排吸気口の一例）
１１４            第二排吸気口（排吸気口の一例）
１１６            側板（被取付部材の一例）
１２０            冊子収容体
１２２            第一収容部材
１２２Ａ          第一受け部
１２２Ｂ          第二受け部
１２２Ｃ          壁部
１２２Ｄ          壁部
１２４            第二収容部材
１２４Ａ          第三受け部
１２４Ｂ          第四受け部
１２４Ｃ          壁部
１２４Ｄ          壁部
１２８            切欠き
１３０            切欠き
１３４            第一取付孔（第一取付部の一例）
１３６            第二取付孔（第二取付部の一例）
１４０            第三取付孔（第三取付部の一例）
１４２            第四取付孔（第四取付部の一例）
１６０            取付孔（被取付部の一例）
１６４            開口縁
１６６            開口縁
１６８            開口縁
１７０            開口縁
【図１】
0005853606.tif 000002
【図２】
0005853606.tif 000003
【図３】
0005853606.tif 000004
【図４】
0005853606.tif 000005
【図５】
0005853606.tif 000006
【図６】
0005853606.tif 000007
【図７】
0005853606.tif 000008
【図８】
0005853606.tif 000009
【図９】
0005853606.tif 000010
【図１０】
0005853606.tif 000011
【図１１】
0005853606.tif 000012